(57)【要約】【課題】本発明は画像品質を向上させつつ白黒反転処理を行う画像処理装置を提供する。【解決手段】デジタル複写装置１は、スキャナ部２から入力される画像データに、少なくとも階調処理を施す階調処理部１４を有する画像処理部３で必要な画像処理を施した後、プリンタ部４に出力し、プリンタ部４で用紙に画像を出力するに際して、画像処理部３が、画像データの処理流れ方向に対して、階調処理部１４の前後に、画像データに対して白黒反転処理を施す白黒反転処理部１２と白黒反転処理部１５とを備え、白黒反転させる画像データの種類に応じて、白黒反転処理部１２と白黒反転処理部１５のいずれかで白黒反転処理を施している。したがって、画像データの種類に適した段階で白黒反転処理を施すことができ、画像データの品質を向上させることができる。【選択図】          図２
2005020318.tif 000002
【特許請求の範囲】
【請求項１】
画像入力手段から入力される画像データに、少なくとも階調処理を施す階調処理手段を有する画像処理手段で必要な画像処理を施した後、画像出力手段に出力し、当該画像出力手段で所定の媒体に画像を出力する画像処理装置において、前記画像処理手段が、前記画像データの処理流れ方向に対して、前記階調処理手段の前後に、画像データに対して白黒反転処理を施す前白黒反転処理手段と後白黒反転処理手段とを備え、白黒反転させる画像データの種類に応じて、当該前白黒反転処理手段と当該後白黒反転処理手段のいずれかで白黒反転処理を施すことを特徴とする画像処理装置。
【請求項２】
前記画像処理装置は、前記白黒反転させる画像データの種類が、文字画像または線画像のいずれかであると、前記後白黒反転処理手段で当該画像データに対して白黒反転処理を施すことを特徴とする請求項１記載の画像処理装置。
【請求項３】
前記画像処理装置は、前記白黒反転させる画像データの種類が、写真画像または網点印刷画像のいずれかであると、前記前白黒反転処理手段で当該画像データに対して白黒反転処理を施すことを特徴とする請求項１記載の画像処理装置。
【請求項４】
前記画像処理装置は、前記前白黒反転処理手段と前記後白黒反転処理手段のいずれかを選択する選択手段を備え、当該選択手段で選択された前記前白黒反転処理手段または前記後白黒反転処理手段で白黒反転処理を施すことを特徴とする請求項１記載の画像処理装置。
【発明の詳細な説明】
【０００１】
【発明の属する技術分野】
本発明は、画像処理装置に関し、詳細には、画像品質を向上させつつ白黒反転処理を行う画像処理装置に関する。
【０００２】
【従来の技術】
【特許文献１】
特開平９−１８７２５号公報
【特許文献２】
特開平１０−７５３６３号公報
ディジタル複写装置等の画像処理装置においては、従来から画像の白黒を反転させる反転処理を行っており、例えば、ＲＧＢ信号又はＲＧＢ信号を変換したＹＭＣ信号、または、ＹＭＣ信号を変換した赤黒２色信号のうちのいずれかの段階で、濃度反転処理、例えば、写真画像では、ＲＧＢまたはＹＭＣ信号に対して反転処理を行い、テキスト画像では、赤黒２色信号に対して反転処理を行う画像処理方法及び装置が提案されている（特許文献１参照）。
【０００３】
また、本出願人は、ガンマ変換の前及び後に濃度反転部を設け、いずれか一方の処理を有効、文字画像では、ガンマ変換の前に反転処理を行い、写真画像では、ガンマ変換の後に反転処理を行う原稿読取装置を提案している（特許文献２参照）。
【０００４】
【発明が解決しようとする課題】
しかしながら、このような公報記載の従来技術にあっては、画像品質をより一層向上させつつ反転処理を行う上で改良の必要があった。
【０００５】
すなわち、特許文献１記載の従来技術にあっては、画像の反転処理をＲＧＢからＹＭＣ信号そして赤黒信号へと変換していく段階のいずれかで反転処理を行って写真画像やテキスト画像に適した反転処理を行い、また、特許文献２の従来技術にあっては、画像が文字画像か写真画像かに応じて、γ変換の前後のいずれかで反転処理を行うことで、画像品質の向上を図っている。
【０００６】
ところが、画像を取り扱う画像処理装置には、入力画像に対して階調処理を行うものがあり、階調処理を行う場合には、この階調処理の前後のいずれで階調処理を行うかによって、画像品質が大きく影響される。
【０００７】
ところが、上記従来技術にあっては、階調処理については考慮されておらず、改良の必要があった。
【０００８】
そこで、請求項１記載の発明は、画像入力手段から入力される画像データに、少なくとも階調処理を施す階調処理手段を有する画像処理手段で必要な画像処理を施した後、画像出力手段に出力し、当該画像出力手段で所定の媒体に画像を出力するに際して、画像処理手段が、画像データの処理流れ方向に対して、階調処理手段の前後に、画像データに対して白黒反転処理を施す前白黒反転処理手段と後白黒反転処理手段とを備え、白黒反転させる画像データの種類に応じて、当該前白黒反転処理手段と当該後白黒反転処理手段のいずれかで白黒反転処理を施すことにより、画像データの種類に適した段階で白黒反転処理を施し、画像データの品質を向上させる画像処理装置を提供することを目的としている。
【０００９】
請求項２記載の発明は、白黒反転させる画像データの種類が、文字画像または線画像のいずれかであると、後白黒反転処理手段で当該画像データに対して白黒反転処理を施すことにより、階調処理を施した後、エッジのシャープネスや細線の再現等に適した白黒反転処理を施し、文字または線画像の原稿を読み取った画像データに対する白黒反転処理後の画像データの品質を向上させる画像処理装置を提供することを目的としている。
【００１０】
請求項３記載の発明は、白黒反転させる画像データの種類が、写真画像または網点印刷画像のいずれかであると、前白黒反転処理手段で当該画像データに対して白黒反転処理を施すことにより、階調処理を施す前に、階調性の豊かさ、なめらかさ、粒状性のなさなどに適した白黒反転処理を施して、写真または網点印刷画像の原稿を読み取った画像データに対する白黒反転処理後の画像データの品質を向上させる画像処理装置を提供することを目的としている。
【００１１】
請求項４記載の発明は、前白黒反転処理手段と後白黒反転処理手段のいずれかを選択する選択手段で選択された前白黒反転処理手段または後白黒反転処理手段で白黒反転処理を施すことにより、画像に適した白黒反転手段をユーザが選択し、ユーザの意図する画像品質の画像データを得ることのできる画像処理装置を提供することを目的としている。
【００１２】
【課題を解決するための手段】
請求項１記載の発明の画像処理装置は、画像入力手段から入力される画像データに、少なくとも階調処理を施す階調処理手段を有する画像処理手段で必要な画像処理を施した後、画像出力手段に出力し、当該画像出力手段で所定の媒体に画像を出力する画像処理装置において、前記画像処理手段が、前記画像データの処理流れ方向に対して、前記階調処理手段の前後に、画像データに対して白黒反転処理を施す前白黒反転処理手段と後白黒反転処理手段とを備え、白黒反転させる画像データの種類に応じて、当該前白黒反転処理手段と当該後白黒反転処理手段のいずれかで白黒反転処理を施すことにより、上記目的を達成している。
【００１３】
上記構成によれば、画像入力手段から入力される画像データに、少なくとも階調処理を施す階調処理手段を有する画像処理手段で必要な画像処理を施した後、画像出力手段に出力し、当該画像出力手段で所定の媒体に画像を出力するに際して、画像処理手段が、画像データの処理流れ方向に対して、階調処理手段の前後に、画像データに対して白黒反転処理を施す前白黒反転処理手段と後白黒反転処理手段とを備え、白黒反転させる画像データの種類に応じて、当該前白黒反転処理手段と当該後白黒反転処理手段のいずれかで白黒反転処理を施すので、画像データの種類に適した段階で白黒反転処理を施すことができ、画像データの品質を向上させることができる。
【００１４】
この場合、例えば、請求項２に記載するように、前記画像処理装置は、前記白黒反転させる画像データの種類が、文字画像または線画像のいずれかであると、前記後白黒反転処理手段で当該画像データに対して白黒反転処理を施すものであってもよい。
【００１５】
上記構成によれば、白黒反転させる画像データの種類が、文字画像または線画像のいずれかであると、後白黒反転処理手段で当該画像データに対して白黒反転処理を施すので、階調処理を施した後、エッジのシャープネスや細線の再現等に適した白黒反転処理を施すことができ、文字または線画像の原稿を読み取った画像データに対する白黒反転処理後の画像データの品質を向上させることができる。
【００１６】
また、例えば、請求項３に記載するように、前記画像処理装置は、前記白黒反転させる画像データの種類が、写真画像または網点印刷画像のいずれかであると、前記前白黒反転処理手段で当該画像データに対して白黒反転処理を施すものであってもよい。
【００１７】
上記構成によれば、白黒反転させる画像データの種類が、写真画像または網点印刷画像のいずれかであると、前白黒反転処理手段で当該画像データに対して白黒反転処理を施すので、階調処理を施す前に、階調性の豊かさ、なめらかさ、粒状性のなさなどに適した白黒反転処理を施すことができ、写真または網点印刷画像の原稿を読み取った画像データに対する白黒反転処理後の画像データの品質を向上させることができる。
【００１８】
さらに、例えば、請求項４に記載するように、前記画像処理装置は、前記前白黒反転処理手段と前記後白黒反転処理手段のいずれかを選択する選択手段を備え、当該選択手段で選択された前記前白黒反転処理手段または前記後白黒反転処理手段で白黒反転処理を施すものであってもよい。
【００１９】
上記構成によれば、前白黒反転処理手段と後白黒反転処理手段のいずれかを選択する選択手段で選択された前白黒反転処理手段または後白黒反転処理手段で白黒反転処理を施すので、画像に適した白黒反転手段をユーザが選択することができ、ユーザの意図する画像品質の画像データを得らることができる。
【００２０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２１】
図１〜図４は、本発明の画像処理装置の一実施の形態を示す図であり、図１は、本発明の画像処理装置の一実施の形態を適用したデジタル複写装置１の概略ブロック構成図である。
【００２２】
図１において、デジタル複写装置１は、画像入力手段としてのスキャナ部２、画像処理部３、画像出力手段としてのプリンタ部４、制御部５及び操作部６等を備えており、主要各部は、図１の詳細な回路ブロック構成図である図２に示すように、システムバス７により接続されている。
【００２３】
スキャナ部２は、原稿に光源から光を照射してＣＣＤ（Ｃｈａｒｇｅ  Ｃｏｕｐｌｅｄ  Ｄｅｖｉｃｅ  ）で光電変換するという主走査及び副走査を行って原稿の画像を読み取り、読み取った原稿の画像データを画像処理部３に出力する。
【００２４】
画像処理部３は、図２に示すように、スキャナ部２側から順次ＭＴＦ（Ｍｏｄｕｌａｔｉｏｎ  Ｔｒａｎｓｆｅｒ  Ｆｕｎｃｔｉｏｎ）フィルタ処理部１１、白黒反転処理部（前白黒反転処理手段）１２、γ補正処理部１３、階調処理部（階調処理手段）１４、白黒反転処理部（後白黒反転処理手段）１５等を備えており、ＭＴＦフィルタ処理、白黒反転処理、γ補正処理、階調処理等の各種画像処理を行う。
【００２５】
ＭＴＦフィルタ処理部１１には、スキャナ部２からスキャナ部２の読み取った原稿の画像データが入力され、ＭＴＦフィルタ処理部１１は、入力される画像データに対して、スキャナ部２の光学系によるボケを補正して画像データを鮮鋭化させるＭＴＦ補正処理を施して、白黒反転処理部１２に出力する。
【００２６】
白黒反転処理部１２は、反転処理を行う際には、ＭＴＦフィルタ処理部１１から入力されるＭＴＦ補正処理された画像データに対して白黒を反転させる白黒反転処理を行って、γ補正処理部１３に出力する。すなわち、白黒反転処理部１２は、スキャナ部２で読み取られた多階調の画像データに対して、白黒反転処理を行い、例えば、８ビット、２５６階調の画像データに対して、白黒反転処理を行う。白黒反転処理部１２は、２５６階調の画像データに対して白黒反転処理を行うことで、中間調の再現性に優れた白黒反転処理を行う。
【００２７】
γ補正処理部１３は、画像データをプリンタ部４で出力する際に、プリンタ部４の特性を考慮したテーブルによる変換を行って、操作パネル６で設定された濃度値に応じた出力の調整を行って階調処理部１４に出力する。
【００２８】
階調処理部１４は、γ補正処理部１３から入力される画像が写真画像等の中間調画像の場合に、中間調処理方法を用いて階調処理を実行して、白黒反転処理部１５に出力する。すなわち、階調処理部１４は、スキャナ部２で読み取られた多階調の画像データを、プリンタ部４で出力するのに適した階調数まで減らす処理を行い、例えば、スキャナ部２から８ビット、２５６階調の画像データを入力し、階調処理部１４で、２ビット、４値の画像データにする。
【００２９】
白黒反転処理部１５は、階調処理部１４で処理された画像データに対して白黒反転処理を行う。例えば、白黒反転処理部１５は、階調処理部１４で、２ビット、４値の画像データに階調処理された画像データに対して、白黒反転処理を行う。白黒反転処理部１５は、階調処理後の画像データに対して白黒反転処理を行うことで、線画のエッジ再現、シャープ性に優れた白黒反転処理を行う。
【００３０】
プリンタ部４は、例えば、電子写真方式で、画像処理部３で画像処理された画像データに基づいて、用紙にカラー画像を記録出力する。
【００３１】
制御部５は、ＣＰＵ（Ｃｅｎｔｒａｌ  Ｐｒｏｃｅｓｓｉｎｇ  Ｕｎｉｔ  ）２１、ＲＯＭ（Ｒｅａｄ  Ｏｎｌｙ  Ｍｅｍｏｒｙ）２２及びＲＡＭ（Ｒａｎｄｏｍ  Ａｃｃｅｓｓ  Ｍｅｍｏｒｙ）２３等を備え、ＲＯＭ２２内には、デジタル複写装置１の基本制御処理プログラムや後述する画像処理プログラム及びこれらの各種プログラムを実行するのに必要な各種データが格納されている。制御部５は、ＣＰＵ２１がＲＯＭ２２内のプログラム及び操作部６からの設定内容に基づいてＲＡＭ２３をワークメモリとして利用しつつ、デジタル複写装置１の各部を制御して、デジタル複写装置１としての基本処理を実行するとともに、後述する画像処理を実行する。
【００３２】
操作部（選択手段）６は、テンキーやスタートキー等の各種操作キーを備えるとともに、図３及び図４に示すようなディスプレイ（例えば、液晶ディスプレイ）３０を備えており、各種操作キーからは、コピー動作の設定、スタート、ストップ等のデジタル複写装置１を利用した複写処理に必要な各種操作が行われ、また、ディスプレイ３０には、デジタル複写装置１からユーザに通知する各種情報を表示出力する。特に、操作部６では、スキャナ部２の読み取った原稿の画像データに白黒反転処理を施すのに、白黒反転処理部１２と白黒反転処理部１５のいずれを用いるかが、ディスプレイの表示に基づいて選択される。
【００３３】
次に、本実施の形態の作用を説明する。本実施の形態のデジタル複写装置１は、画像の白黒反転を行う場合、制御部５のＣＰＵ２１の制御下で、γ補正処理部１３と階調処理部１４の前後に配設されている白黒反転処理部１２と白黒反転処理部１５のいずれか一方をオンにして、白黒反転処理を行う。
【００３４】
すなわち、デジタル複写装置１は、スキャナ２で原稿の画像データを読み取り、当該スキャナ２の読み取った原稿の画像データを、画像処理部３のＭＴＦフィルタ部１１で、まず、スキャナ部２の光学系によるボケを補正して画像データを鮮鋭化させるＭＴＦ補正処理を施す。
【００３５】
そして、ＣＰＵ２１は、原稿の画像データが文字及び線画像のいずれかである場合には、白黒反転処理部１２をオフ、白黒反転処理部１５をオンにして、後段の白黒反転処理部１５で白黒反転処理を行わせ、写真及び網点印刷画像のいずれかである場合には、白黒反転処理部１２をオン、白黒反転処理部１５をオフにして、前段の白黒反転処理部１２で白黒反転処理を行わせる。
【００３６】
いま、原稿の画像データが文字または線画像のいずれかであると、ＣＰＵ２１は、白黒反転処理部１２をオフ、白黒反転処理部１５をオンにして、前段の白黒反転処理部１２では反転処理を行わせず、ＭＴＦフィルタ処理部１１でＭＴＦ補正処理した画像データをそのままγ補正処理部１３に転送し、γ補正処理部１３で、プリンタ部４の特性を考慮したテーブルによる変換を行って、操作パネル６で設定された濃度値に応じた出力の調整を行って階調処理部１４に出力する。
【００３７】
ＣＰＵ２１は、階調処理部１４は、γ補正された画像データに対して、プリンタ部４で出力するのに適した階調数まで減らす処理、例えば、スキャナ部２から８ビット、２５６階調の画像データを入力し、階調処理部１４で、２ビット、４値の画像データにする階調処理を施して白黒反転処理部１５に出力し、白黒反転処理部１５は、いま、オンに設定されているので、階調処理部１４で処理された画像データに対して白黒反転処理を行う。例えば、白黒反転処理部１５は、階調処理部１４で、２ビット、４値の画像データに階調処理された画像データに対して、白黒反転処理を行う。この場合、白黒反転処理部１５は、次式に基づいて、白黒反転処理を行う。
【００３８】
出力値＝３−入力値
白黒反転処理部１５は、白黒反転処理した画像データをプリンタ部４に転送し、プリンタ部４は、例えば、電子写真方式で、画像処理部３で画像処理された画像データに基づいて、用紙に画像を記録出力する。
【００３９】
このように、
白黒反転処理部１５は、階調処理後の画像データに対して白黒反転処理を行うことで、線画のエッジ再現、シャープ性に優れた白黒反転処理を行う。
【００４０】
また、いま、原稿の画像データが写真または網点印刷画像のいずれかであると、ＣＰＵ２１は、白黒反転処理部１２をオン、白黒反転処理部１５をオフにして、前段の白黒反転処理部１２で、まず、反転処理を行う。
【００４１】
この場合、白黒反転処理部１２は、スキャナ部２で読み取られた多階調の画像データに対して、白黒反転処理、例えば、８ビット、２５６階調の画像データに対して、白黒反転処理を行う。例えば、白黒反転処理部１２は、ＭＴＦフィルタ処理部１１でＭＴＦ補正処理された８ビット、２５６階調の画像データに対して、白黒反転処理を行う。この場合、白黒反転処理部１２は、次式に基づいて、白黒反転処理を行う。
【００４２】
出力値＝２５５−入力値
白黒反転処理部１２は、白黒反転処理した画像データをγ補正処理部１３に転送し、γ補正処理部１３で、プリンタ部４の特性を考慮したテーブルによる変換を行って、操作パネル６で設定された濃度値に応じた出力の調整を行って階調処理部１４に出力する。
【００４３】
ＣＰＵ２１は、階調処理部１４は、γ補正された画像データに対して、プリンタ部４で出力するのに適した階調数まで減らす処理、例えば、スキャナ部２から８ビット、２５６階調の画像データを入力し、階調処理部１４で、２ビット、４値の画像データにする階調処理を施して白黒反転処理部１５に出力する。
【００４４】
白黒反転処理部１５は、いま、オフに設定されているので、階調処理部１４から入力される画像データを、白黒反転処理を行うことなく、そのままプリンタ部４に転送し、プリンタ部４は、例えば、電子写真方式で、画像処理部３で画像処理された画像データに基づいて、用紙に画像を記録出力する。
【００４５】
そして、デジタル複写装置１は、上記原稿画像が文字または線画像のいずれかであるか、あるいは、写真または網点印刷画像のいずれかであるか及び白黒反転するか否か等の画像処理内容を、図３及び図４に示すように、操作部６のディスプレイ３０の設定画面に従って操作部６の操作で設定することができる。
【００４６】
すなわち、図３は、操作部６のディスプレイ３０の設定画面で、原稿選択項目において、「文字・線画像」が選択されており、編集項目において、「白黒反転」が選択されている状態を示している。また、図４は、操作部６のディスプレイ３０の設定画面で、原稿選択項目において、「写真・印刷画像」が選択されており、編集項目において、「白黒反転」が選択されている状態を示している。
【００４７】
そして、図３のように、原稿選択項目で、「文字・線画像」が選択され、編集項目で、「白黒反転」が選択されると、ＣＰＵ２１は、白黒反転処理部１２をオフ、白黒反転処理部１５をオンにして、上述のように画像処理部３での画像処理を行わせる。また、図４のように、原稿選択項目で、「写真・印刷画像」が選択され、編集項目で、「白黒反転」が選択されると、ＣＰＵ２１は、白黒反転処理部１２をオン、白黒反転処理部１５をオフにして、上述のように画像処理部３での画像処理を行わせる。
【００４８】
このように、本実施の形態のデジタル複写装置１は、スキャナ部２から入力される画像データに、少なくとも階調処理を施す階調処理部１４を有する画像処理部３で必要な画像処理を施した後、プリンタ部４に出力し、当該プリンタ部４で用紙に画像を出力するに際して、画像処理部３が、画像データの処理流れ方向に対して、階調処理部１４の前後に、画像データに対して白黒反転処理を施す前白黒反転処理手段としての白黒反転処理部１２と後白黒反転処理手段としての白黒反転処理部１５とを備え、白黒反転させる画像データの種類に応じて、当該白黒反転処理部１２と白黒反転処理部１５のいずれかで白黒反転処理を施している。
【００４９】
したがって、画像データの種類に適した段階で白黒反転処理を施すことができ、画像データの品質を向上させることができる。
【００５０】
また、本実施の形態のデジタル複写装置１は、白黒反転させる画像データの種類が、文字画像または線画像のいずれかであると、後白黒反転処理手段である白黒反転処理部１５で当該画像データに対して白黒反転処理を施している。
【００５１】
したがって、階調処理を施した後、エッジのシャープネスや細線の再現等に適した白黒反転処理を施すことができ、文字または線画像の原稿を読み取った画像データに対する白黒反転処理後の画像データの品質を向上させることができる。
【００５２】
さらに、本実施の形態のデジタル複写装置１は、白黒反転させる画像データの種類が、写真画像または網点印刷画像のいずれかであると、前白黒反転処理手段である白黒反転処理部１２で当該画像データに対して白黒反転処理を施している。
【００５３】
したがって、階調処理を施す前に、階調性の豊かさ、なめらかさ、粒状性のなさなどに適した白黒反転処理を施すことができ、写真または網点印刷画像の原稿を読み取った画像データに対する白黒反転処理後の画像データの品質を向上させることができる。
【００５４】
また、本実施の形態のデジタル複写装置１は、白黒反転処理部１２と白黒反転処理部１５のいずれかを選択する操作部６で選択された白黒反転処理部１２または白黒反転処理部１５で白黒反転処理を施している。
【００５５】
したがって、画像に適した白黒反転手段をユーザが選択することができ、ユーザの意図する画像品質の画像データを得らることができる。
【００５６】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５７】
【発明の効果】
請求項１記載の発明の画像処理装置によれば、画像入力手段から入力される画像データに、少なくとも階調処理を施す階調処理手段を有する画像処理手段で必要な画像処理を施した後、画像出力手段に出力し、当該画像出力手段で所定の媒体に画像を出力するに際して、画像処理手段が、画像データの処理流れ方向に対して、階調処理手段の前後に、画像データに対して白黒反転処理を施す前白黒反転処理手段と後白黒反転処理手段とを備え、白黒反転させる画像データの種類に応じて、当該前白黒反転処理手段と当該後白黒反転処理手段のいずれかで白黒反転処理を施すので、画像データの種類に適した段階で白黒反転処理を施すことができ、画像データの品質を向上させることができる。
【００５８】
請求項２記載の発明の画像処理装置によれば、白黒反転させる画像データの種類が、文字画像または線画像のいずれかであると、後白黒反転処理手段で当該画像データに対して白黒反転処理を施すので、階調処理を施した後、エッジのシャープネスや細線の再現等に適した白黒反転処理を施すことができ、文字または線画像の原稿を読み取った画像データに対する白黒反転処理後の画像データの品質を向上させることができる。
【００５９】
請求項３記載の発明の画像処理装置によれば、白黒反転させる画像データの種類が、写真画像または網点印刷画像のいずれかであると、前白黒反転処理手段で当該画像データに対して白黒反転処理を施すので、階調処理を施す前に、階調性の豊かさ、なめらかさ、粒状性のなさなどに適した白黒反転処理を施すことができ、写真または網点印刷画像の原稿を読み取った画像データに対する白黒反転処理後の画像データの品質を向上させることができる。
【００６０】
請求項４記載の発明の画像処理装置によれば、前白黒反転処理手段と後白黒反転処理手段のいずれかを選択する選択手段で選択された前白黒反転処理手段または後白黒反転処理手段で白黒反転処理を施すので、画像に適した白黒反転手段をユーザが選択することができ、ユーザの意図する画像品質の画像データを得らることができる。
【図面の簡単な説明】
【図１】本発明の画像処理装置の一実施の形態を適用したデジタル複写装置の要部ブロック構成図。
【図２】図１のデジタル複写装置の詳細な回路ブロック構成図。
【図３】図１のデジタル複写装置の原稿画像として文字・線画像が選択され、編集として白黒反転が選択されている状態の操作部のディスプレイの平面図。
【図４】図１のデジタル複写装置の原稿画像として写真・印刷画像が選択され、編集として白黒反転が選択されている状態の操作部のディスプレイの平面図。
【符号の説明】
１  デジタル複写装置
２  スキャナ部
３  画像処理部
４  プリンタ部
５  制御部
６  操作部
７  システムバス
１１  ＭＴＦフィルタ処理部
１２  白黒反転処理部
１３  γ補正処理部
１４  階調処理部
１５  白黒反転処理部
２１  ＣＰＵ
２２  ＲＯＭ
２３  ＲＡＭ
３０  ディスプレイ
【図１】
2005020318.tif 000003
【図２】
2005020318.tif 000004
【図３】
2005020318.tif 000005
【図４】
2005020318.tif 000006